(57)【要約】【課題】  複数の電子装置に供給する電源の管理が容易で、且つ突入電流が小さい電子装置、電源制御方法、およびＲＯＦシステム、その給電方法、ならびにＲＯＦ子局を提供する。【解決手段】  子局給電装置３へ共通に接続されるＲＯＦシステムの各子局２ａ〜２ｎは、各子局の識別情報（例えば、番号２ａ〜２ｎ）に対応した遅延時間を設定する番号入力部２１１１を有し、子局給電装置３が各子局への電源投入を同時に行っても、各子局２の遅延制御部２１１のタイミング部２１１２は、入力された識別番号に対応する遅延時間でスイッチ部２１２をＯＮするので、各子局２で発生する突入電流が重複することなく、子局給電装置３が突入電流を小さく抑えることが出来る。【選択図】  図２
2006345608.tif 000002
【特許請求の範囲】
【請求項１】
他の電子装置と共通に接続された電源供給装置から一斉に給電される電子装置において、
各前記電子装置は、
入力端子と出力端子と、前記入力端子と前記出力端子との間をＯＮにするための制御信号が入力される制御端子とを有するスイッチ部と、
自装置が前記給電されてから前記ＯＮするまでの遅延時間を設定するために自装置に割り当てられた固有の識別情報が入力される番号入力部と、
前記入力端子と共に前記電源供給装置に接続され、前記給電された開始タイミングから前記設定された遅延時間の経過後に前記スイッチをＯＮにする前記制御信号を前記制御端子へ出力するタイミング部とを
具備することを特徴とする電子装置。
【請求項２】
前記設定される遅延時間は、
前記スイッチがＯＮになった時自装置で発生する突入電流のピーク到達時間よりも長い時間で設定され、
前記各識別番号に対応して設定される各前記遅延時間の差は、前記ピーク到達時間よりも大きいことを特徴とする請求項１記載の電子装置。
【請求項３】
前記番号入力部は、前記識別情報の番号がダイヤルで入力される切替スイッチからなり
前記タイミング部は、
前記スイッチの各前記識別情報に対応する切替端子に各前記識別情報に対応する固有の抵抗値の抵抗が接続され、前記入力された番号に対応する前記抵抗とキャパシタとの組合せによる積分回路を構成し、
前記固有の識別情報に対応する前記遅延時間を前記積分回路により設定することを特徴とする請求項１記載の電子装置。
【請求項４】
前記積分回路の入力は、前記スイッチの前記入力端子側に接続され、
前記積分回路の出力は、前記スイッチの制御端子に接続され、その出力電圧が所定の電圧を超えると前記スイッチがＯＮになることを特徴とする請求項３記載の電子装置。
【請求項５】
他の電子装置と共通に接続された電源供給装置から一斉に給電される電子装置の電源制御方法において、
前記各電子装置は、
スイッチ部と、番号入力部と、タイミング部とを具備し、
前記スイッチ部は、
入力端子と、出力端子と、前記入力端子と前記出力端子との間をＯＮにするための制御信号が入力される制御端子とを有し、
前記番号入力部は、
自装置が前記給電されてから前記ＯＮするまでの遅延時間を設定するために自装置に割り当てられた固有の識別情報が入力され、
前記タイミング部は、
前記入力端子とともに前記電源供給装置に接続され、前記給電された開始タイミングから前記設定された遅延時間の経過後に前記スイッチをＯＮにする前記制御信号を前記制御端子へ出力する
ことを特徴とする電源制御方法。
【請求項６】
前記設定される遅延時間は、
前記スイッチがＯＮになった時自装置で発生する突入電流のピーク到達時間よりも長い時間で設定され、
前記各識別番号に対応して設定される各前記遅延時間の差は、前記ピーク到達時間よりも大きいことを特徴とする請求項５記載の電源制御方法。
【請求項７】
前記番号入力部は、前記識別情報の番号がダイヤルで入力される切替スイッチからなり
前記タイミング部は、
前記スイッチの各前記識別情報に対応する切替端子に各前記識別情報に対応する固有の抵抗値の抵抗が接続され、前記入力された番号に対応する前記抵抗とキャパシタとの組合せによる積分回路を構成し、
前記固有の識別情報に対応する前記遅延時間を前記積分回路により設定することを特徴とする請求項５記載の電源制御方法。
【請求項８】
前記積分回路の入力は、前記スイッチの前記入力端子側に接続され、
前記積分回路の出力は、前記スイッチの制御端子に接続され、その出力電圧が所定の電圧を超えると前記スイッチがＯＮになることを特徴とする請求項７記載の電源制御方法。
【請求項９】
他のＲＯＦ（Ｒａｄｉｏ  ｏｎ  Ｆｉｂｅｒ）子局と共通に接続された電源供給装置から一斉に給電されるＲＯＦ子局を備えるＲＯＦシステムにおいて、
電源供給装置と、
入力端子と出力端子と、前記入力端子と前記出力端子との間をＯＮにするための制御信号が入力される制御端子とを有するスイッチ部と、自装置が前記給電されてから前記ＯＮするまでの遅延時間を設定するために自装置に割り当てられた固有の識別情報が入力される番号入力部と、前記入力された前記固有の識別情報に対応する遅延時間の設定手段を備え、前記入力端子と共に前記電源供給装置に接続され、前記給電された開始タイミングから前記設定された遅延時間の経過後に前記スイッチをＯＮにする前記制御信号を前記制御端子へ出力するタイミング部とを備えるＲＯＦ子局とを
具備することを特徴とするＲＯＦシステム。
【請求項１０】
他のＲＯＦ（Ｒａｄｉｏ  ｏｎ  Ｆｉｂｅｒ）子局と共通に接続された電源供給装置から一斉に供電されるＲＯＦ子局を備えるＲＯＦシステムの給電方法において、
各前記ＲＯＦ子局は、
スイッチ部と、番号入力部と、タイミング部とを有する電源部を具備し、
前記スイッチ部は、
入力端子と、出力端子と、前記入力端子と前記出力端子との間をＯＮにするための制御信号が入力される制御端子とを有し、
前記番号入力部は、
自装置が前記給電されてから前記ＯＮするまでの遅延時間を設定するための自装置に割り当てられた固有の識別情報が入力され、
前記タイミング部は、
前記入力端子とともに前記電源供給装置に接続され、前記給電された開始タイミングから前記設定された遅延時間の経過後に前記スイッチをＯＮにする前記制御信号を前記制御端子へ出力する
ことを特徴とするＲＯＦシステムの給電方法。
【請求項１１】
前記設定される遅延時間は、
前記スイッチがＯＮになった時自装置で発生する突入電流のピーク到達時間よりも長い時間で設定され、
前記各識別番号に対応して設定される各前記遅延時間の差は、
前記ピーク到達時間よりも大きいことを特徴とする請求項１０記載のＲＯＦシステムの給電方法。
【請求項１２】
前記番号入力部は、前記識別情報の番号がダイヤルで入力される切替スイッチからなり
前記タイミング部は、
前記スイッチの各前記識別情報に対応する切替端子に各前記識別情報に対応する固有の抵抗値の抵抗が接続され、前記入力された番号に対応する前記抵抗とキャパシタとの組合せによる積分回路を構成し、
前記固有の識別情報に対応する前記遅延時間を前記積分回路により設定することを特徴とする請求項１０記載のＲＯＦシステムの給電方法。
【請求項１３】
前記積分回路の入力は、前記スイッチの前記入力端子側に接続され、
前記積分回路の出力は、前記スイッチの制御端子に接続され、その出力電圧が所定の電圧を超えると前記スイッチがＯＮになることを特徴とする請求項１２記載のＲＯＦシステムの給電方法。
【請求項１４】
他のＲＯＦ子局と共通に接続された電源供給装置から一斉に給電されるＲＯＦ子局において、
入力端子と出力端子と、前記入力端子と前記出力端子との間をＯＮにするための制御信号が入力される制御端子とを有するスイッチ部と、
自装置が前記給電されてから前記ＯＮするまでの遅延時間を設定するために自装置に割り当てられた固有の識別情報が入力される番号入力部と、
前記入力端子と共に前記電源供給装置に接続されて前記給電された開始タイミングから前記設定された遅延時間の経過後に前記スイッチをＯＮにする前記制御信号を前記制御端子へ出力するタイミング部とを具備する
ことを特徴とするＲＯＦ子局。
【発明の詳細な説明】
【技術分野】
【０００１】
本発明は、複数の電子装置を同時に運用するシステムの電子装置、電源制御方法、およびＲＯＦシステム、その給電方法、ならびにＲＯＦ子局の給電方法に関する。
【背景技術】
【０００２】
例えば、銀行の現金自動取引システムでホスト装置に接続される複数の現金収受装置の様な電子装置や情報処理端末を起動する場合、複数の電子装置等を一斉に立ち上げると電源投入時に突入電流が非常に大きく発生する。また、映像配信システム等でテレビ受像器を一斉に電源投入する場合にも同様に大きな突入電流が発生する。このため、システムの電源容量を通常動作時に比べて大きくしなければならず、更に一次電源側に対しても電源変動等の安定運用を妨げる原因を与える。
【０００３】
これらの対策として、従来は、システムの電源供給側で各電子装置への電源供給タイミング（起動タイミング）を少しずつずらして各電子装置を順番に起動させることにより、突入電流の相加、重畳を抑えている。その方法として、映像配信システムでは、テレビ受像器へ電源を供給する電源のバスラインの途中に遅延線を挿入する方法などが取られている。（例えば、特許文献１。）。
【０００４】
また、最近導入が進んでいるＲＯＦ（光ファイバ無線：Ｒａｄｉｏ  ｏｎ  Ｆｉｂｅｒ）システムでは、携帯電話の基地局側に設置された子局給電装置から各子局へ給電する給電ケーブルは、各子局が離れたビルや鉄塔などの建造物に設置されるため、バスライン接続ではなく、子局電源供給装置から放射状に各子局へ敷設されている。そのため、次に接続される子局へのバスラインに同じ遅延時間の遅延線を隣接局間でカスケードに挿入するだけの容易な遅延時間設定ができず、それぞれの子局毎に異なった値の遅延線を準備して各子局への給電線へ挿入するなど管理が面倒な問題がある。
【０００５】
従来の電源制御方法は、電源投入後、給電装置側からそれぞれの電子装置やテレビ受像器毎に異なった遅延時間で供給するよう管理しなければならず、その管理が膨大になると共に電源供給装置側で行う管理も複雑になり、装置規模が増加する問題があった。
【特許文献１】特開平２−２９５３８９号公報  （第４頁、第１図）
【発明の開示】
【発明が解決しようとする課題】
【０００６】
従来、共通電源に接続された複数の電子装置で構成されるシステムでは、複数の電子装置が一斉に電源投入された時の突入電流が大きくなるのを防ぐ方法は、電源装置規模が大きくなり、また各電子装置へ供給する電源の管理が膨大になる問題があった。
【０００７】
本発明は上記問題を解決するためになされたもので、複数の電子装置に供給する電源の管理が容易で、且つ突入電流が小さい電子装置、電源制御方法、およびＲＯＦシステム、その給電方法、ならびにＲＯＦ子局を提供することを目的とする。
【課題を解決するための手段】
【０００８】
上記目的を達成するために、本発明の電子装置は、他の電子装置と共通に接続された電源供給装置から一斉に給電される電子装置において、各前記電子装置は、入力端子と出力端子と、前記入力端子と前記出力端子との間をＯＮにするための制御信号が入力される制御端子とを有するスイッチ部と、自装置が前記給電されてから前記ＯＮするまでの遅延時間を設定するために自装置に割り当てられた固有の識別情報が入力される番号入力部と、前記入力端子と共に前記電源供給装置に接続され、前記給電された開始タイミングから前記設定された遅延時間の経過後に前記スイッチをＯＮにする前記制御信号を前記制御端子へ出力するタイミング部とを具備することを特徴とする。
【０００９】
また、本発明の電源制御方法は、他の電子装置と共通に接続された電源供給装置から一斉に給電される電子装置の電源制御方法において、前記各電子装置は、スイッチ部と、番号入力部と、タイミング部とを具備し、前記スイッチ部は、入力端子と、出力端子と、前記入力端子と前記出力端子との間をＯＮにするための制御信号が入力される制御端子とを有し、前記番号入力部は、自装置が前記給電されてから前記ＯＮするまでの遅延時間を設定するために自装置に割り当てられた固有の識別情報が入力され、前記タイミング部は、前記入力端子とともに前記電源供給装置に接続され、前記給電された開始タイミングから前記設定された遅延時間の経過後に前記スイッチをＯＮにする前記制御信号を前記制御端子へ出力することを特徴とする。
【００１０】
更にまた、本発明のＲＯＦシステムは、他のＲＯＦ（Ｒａｄｉｏ  ｏｎ  Ｆｉｂｅｒ）子局と共通に接続された電源供給装置から一斉に給電されるＲＯＦ子局を備えるＲＯＦシステムにおいて、電源供給装置および、入力端子と出力端子と、前記入力端子と前記出力端子との間をＯＮにするための制御信号が入力される制御端子とを有するスイッチ部と、自装置が前記給電されてから前記ＯＮするまでの遅延時間を設定するために自装置に割り当てられた固有の識別情報が入力される番号入力部と、前記入力された前記固有の識別情報に対応する遅延時間の設定手段を備え、前記入力端子と共に前記電源供給装置に接続され、前記給電された開始タイミングから前記設定された遅延時間の経過後に前記スイッチをＯＮにする前記制御信号を前記制御端子へ出力するタイミング部とを備えるＲＯＦ子局とを具備することを特徴とする。
【００１１】
そして又、本発明のＲＯＦシステムの給電方法は、他のＲＯＦ（Ｒａｄｉｏ  ｏｎ  Ｆｉｂｅｒ）子局と共通に接続された電源供給装置から一斉に供電されるＲＯＦ子局を備えるＲＯＦシステムの給電方法において、各前記ＲＯＦ子局は、スイッチ部と、番号入力部と、タイミング部とを有する電源部を具備し、前記スイッチ部は、入力端子と、出力端子と、前記入力端子と前記出力端子との間をＯＮにするための制御信号が入力される制御端子とを有し、前記番号入力部は、自装置が前記給電されてから前記ＯＮするまでの遅延時間を設定するための自装置に割り当てられた固有の識別情報が入力され、前記タイミング部は、前記入力端子とともに前記電源供給装置に接続され、前記給電された開始タイミングから前記設定された遅延時間の経過後に前記スイッチをＯＮにする前記制御信号を前記制御端子へ出力することを特徴とする。
【００１２】
重ねて又、本発明のＲＯＦ子局は、他のＲＯＦ子局と共通に接続された電源供給装置から一斉に給電されるＲＯＦ子局において、入力端子と出力端子と、前記入力端子と前記出力端子との間をＯＮにするための制御信号が入力される制御端子とを有するスイッチ部と、自装置が前記給電されてから前記ＯＮするまでの遅延時間を設定するために自装置に割り当てられた固有の識別情報が入力される番号入力部と、前記入力端子と共に前記電源供給装置に接続されて前記給電された開始タイミングから前記設定された遅延時間の経過後に前記スイッチをＯＮにする前記制御信号を前記制御端子へ出力するタイミング部とを具備することを特徴とする。
【発明の効果】
【００１３】
本発明によれば、電源投入のタイミング管理が容易で、且つ突入電流が小さい電子装置、電源制御方法、およびＲＯＦシステム、その給電方法、ならびにＲＯＦ子局を提供することができる。
【発明を実施するための最良の形態】
【００１４】
以下、図面を参照して本発明の実施例を説明する。
【実施例】
【００１５】
図１は、本発明の実施例に係る電源制御方法を適用した携帯電話基地局のＲＯＦ（Ｒａｄｉｏ  Ｏｎ  Ｆｉｂｅｒ）システムの機能構成を示すブロック図である。  
図１においてＲＯＦシステムは、親局１と、本発明の電源制御方法により動作する電子装置である子局２ａ〜子局２ｎ、子局給電装置３と、各子局２ａから２ｎへの給電線４、光ファイバケーブル５とを備えている。
【００１６】
ＲＯＦシステムは小出力、小カバーエリアの小型基地局、即ち子局２ａ〜２ｂ（以下、各子局２ａ〜２ｎを区別する必要が無い限り、子局２と省略して説明する。）が携帯電話基地局として動作するシステムであり、各子局２ａ〜２ｎは、親局１との間が光ファイバケーブル５で接続され、各子局２が送受信する電波を光信号に変換して伝送する。
【００１７】
ＲＯＦシステムでは、上記の様に放射状に子局給電装置３と子局２ａ〜２ｎとの間が給電線４によって接続されているので、各子局での突入電流の発生タイミング調整をバスラインから分岐して電源を給電する場合の様に遅延線を次の子局へ接続される給電線（電源ケーブル）の間毎にカスケードに挿入することが出来ない。
【００１８】
即ち、親局１は、通常ビル内の機器室等に設置され、各子局２はそのビル、及び近隣のビルや鉄塔などの建造物に分散して設置される。親局１に付属する子局給電装置３から各子局２へは、放射状（スター状）に敷設された給電線４により給電される。この給電線の長さは最長でも数百ｍ程度なので、ケーブル長の差による遅延時間差は小さく子局給電装置３が電源投入された場合、その給電先である各子局２で受電するタイミング（起動タイミング）は差がないので各子局で生じる突入電流が重畳されてしまう。従って、各子局２へ給電されるタイミングをずらして突入電流が重畳しないようにタイミング制御を行う必要がある。
【００１９】
図２は、子局２の機能構成を示すブロック図である。  
図２において子局２は、遅延制御部２１１、スイッチ部２１２、例えば、ＤＣ／ＤＣコンバータのＰＳ（電力供給：Ｐｏｗｅｒ  Ｓｕｐｐｌｙ）部２１３を有する電源部２１と親局と信号を入出力する電波を送受信する送受信部２２とを備えている。なお、ＰＳ部２１３は、送受信部２２に含まれるもので有っても良いが、以下では、利便上電源部２１に含まれるものとして説明する。
【００２０】
電源部２１は、子局給電装置３が電源投入した場合、遅延制御部２１１が給電開始された（受電した）時点からスイッチ部２１３をＯＮにするタイミングを制御して制御してＰＳ２１３に電圧を出力する。そして、ＰＳ部２１３は、送受信部２２へ所定の電源電力を出力する。また、遅延制御部２１１は、各子局２の識別情報（番号等）を入力するためのダイヤル等による番号入力部２１１１と、入力される識別番号に対応してスイッチ部２１３をＯＮにするタイミングを制御するタイミング部２１１２とを備えている。
【００２１】
子局３が各子局２に供給する電源は、１００〜２００ＶのＤＣ電源が多く、また、説明の利便上ＤＣ２００Ｖ電源を例に以下の説明をするが、その他の低圧ＤＣ電源、又はＡＣ１００Ｖ等の電源であっても電源をＯＮにする（電源起動の）タイミング制御は同様である。
【００２２】
以下、図２により、子局２の動作を説明する。
【００２３】
図２において、各子局２は給電線４によりＤＣ２００Ｖが給電される。ＤＣ２００Ｖ電源は、スイッチ部２１２の入力端子ｉｎ、および遅延制御部２１１へ入力される。
【００２４】
遅延制御部２１１は、第１の例として、分圧用の抵抗Ｒ１と抵抗Ｒ２、および番号入力部２１１１であるダイヤルスイッチＳと、ダイヤルスイッチＳの切替端子（「１」〜「１０」）に接続される抵抗Ｒ１０〜Ｒ１９、抵抗Ｒ１０〜Ｒ１９の共通接続側に接続されるキャパシタＣとを有するタイミング部２１１２とを備えている。これらの抵抗Ｒ１０〜Ｒ１９とキャパシタＣとは積分回路を構成し、その積分回路の出力は、制御信号としてスイッチ部２１２の制御端子Ｃｏへ出力される。
【００２５】
スイッチ部２１２では、入力される制御信号の電圧が積分回路の時定数で上昇し、所要の電圧になったタイミングでＯＮ状態になる。そしてスイッチ部２１２の出力端子ＯｕｔからＰＳ部（ＤＣ／ＤＣコンバータ）２１３へＤＣ２００Ｖが供給され、子局２が起動する。
【００２６】
抵抗Ｒ１と抵抗Ｒ２によって分圧される電圧は、例えば、スイッチ部２１２にゲート電圧に３〜５ＶでＯＮになるＦＥＴスイッチを用いる場合には５Ｖにすればよい。また、分圧は抵抗による代わりに低電圧ダイオードで所望の、ここでは５Ｖの電圧を作るようにしても良い。
【００２７】
それぞれの子局２は、予めＲＯＦシステムを通して固有の識別情報（例えば、子局２ａについては、「１」、子局２ｂには「２」の様に１連の番号）が付与され、この連番とダイヤルスイッチＳの各切替端子（「１」、「２」…）とが対応している。ダイヤルスイッチＳは、例えば、ロータリースイッチでパネルに表示される識別番号に合わせるものでも良いし、又はサムホイールスイッチの様に表示窓に表示される数字を指定するものでも良い。
【００２８】
図３は、子局の識別番号と遅延時間の関係を説明するテーブルである。  
図３において、子局２ａに対しては識別番号として「１」が付与され、番号入力部２１１１（ダイヤルスイッチＳ）により入力設定される。ダイヤルスイッチＳの「１」に対応する切替端子には抵抗Ｒ１０（抵抗値１０ＫΩの抵抗）が接続される。同様に、子局２ａ〜２ｋには、番号「２」〜「１０」の識別番号が連番で付与され、各番号の切替端子毎に抵抗値が１０ＫΩずつ大きいＲ１１〜Ｒ１９抵抗が接続される。各抵抗Ｒ１０〜Ｒ１９の他端は、共通に１０μＦのキャパシタＣへ接続される。
【００２９】
そして、識別番号が「１」である子局２ａでは、ダイヤルスイッチＣで選択された抵抗Ｒ１０がキャパシタＣと積分回路を構成し、その最終到達電圧の０．７になる立ち上がり時間（時定数）は１２０ｍｓｅｃであり、同様に識別番号が「１０」である子局２ｋでは、抵抗Ｒ１９が選択されるので立ち上がり時間は、１２０４ｍｓｅｃになる。
【００３０】
なお、各子局２の立ち上がり時間、即ち、遅延時間を設定するタイミング部２１１２は、図２に示す如く抵抗Ｒ１０〜Ｒ１９を切り替えて積分回路の時定数を調整しているが、抵抗を一定にしてキャパシタＣを切替えて容量値を変更することにより、遅延時間を調整する積分回路であっても良いことは言うまでもない。
【００３１】
さて、例えば子局２ａの遅延制御部２１１では、上記の様に子局給電装置３から給電されると上記の様なタイミング、子局給電装置３が給電開始後１２０ｍｓｅｃにスイッチ部２１２がＯＮになるのに必要な５×０．７＝３．５ＶになりＰＳ部２１３へＤＣ２００Ｖが加わり子局２ａが起動し、電源投入に伴う過渡現象、即ち突入電流が流れる。
【００３２】
図４は、各子局２の起動時の子局給電装置３の供給電流を示す概念図である。  
図４（ａ）において各子局２は、子局給電装置３からの給電後、ＯＮになる遅延時間が設けられず直ぐに起動する場合を示している。この場合、例えば、供給電流がピークに到達する時間が電源投入後６０ｍｓｅｃであるｎ台の子局２が同時にＯＮになる場合、突入電流はｎ倍になる。しかし、図４（ｂ）の様に各子局２の起動タイミングにそれぞれ遅延を持たせる場合、例えば、子局２ａは、給電後の遅延時間が設定されて居らず直ぐにＯＮになり、子局２ｂのスイッチ部２１２がＯＮになるタイミングが６０ｍｓｅｃの遅延時間を設定されているとする。
【００３３】
この場合、子局２ｂの突入電流がピークになるタイミングも子局２ａの突入電流がピークに到達した後さらに６０ｍｓｅｃ経過し、（子局給電源装置３の電源投入後１２０ｍｓｅｃ）になっているので、子局２ａの突入電流はピークを過ぎて定常値へ向けて減少している。そして子局２ｂ突入電流がピークになるタイミングには子局給電装置３が供給する電流は子局２の１台毎の突入電流を２倍した値よりも低く抑えることが出来る。
【００３４】
詳しく述べれば、各子局２で電源がＯＮ、即ちスイッチ部２１２がＯＮになる遅延時間は、各子局２における突入電流がピークに達する時間（ここでは、６０ｍｓｅｃ。）よりも大きくなるようする。そして、さらに各子局２に設定される遅延時間を前述のピーク到達時間以上の間隔になるようにタイミング部２１１２、即ち積分回路の時定数を設定することにより、子局給電装置３が供給する電流が子局２の１台の突入電流のｎ倍になることを防ぐことができる。
【００３５】
特に図４（ｂ）における子局２ｄの様に突入電流が終息してからＯＮするように起動タイミングが設定された場合、突入電流の影響は更に低くなり、子局給電装置３の供給電流容量を低く抑え、また１次電源への負荷変動も低く抑えることが出来る。
【００３６】
この様に、本実施例では、子局給電装置３が各子局２に対する電源起動タイミングを制御すること無く突入電流が重複することを避けることが出来る。
【００３７】
図５は、遅延制御部２１１の第２の構成例である。  
図５において、遅延制御部２１１の番号入力部２１１１は、バーニヤダイヤルＤが使用され、タイミング部はバーニヤダイヤルＲｐと組み合わされるポテンショメータＲｐとキャパシタＣとから構成される。バーニヤダイヤルＤは、ポテンショメータＲｐの抵抗分割比をダイヤルの回転比に対応して表示出来るので、例えば、ダイヤルメモリで１０等分毎に子局番号を割り当てるようにすれば、サムホイールスイッチの様なダイヤルスイッチＳと同様に時定数を調整することが出来る。
【００３８】
即ち、子局が１０台であるような場合、１００ＫΩのポテンショメータＲｐを用いるとする。そして、子局２ａに対して番号１０を付与し、バーニヤダイヤルＤの目盛を１０に合わせ、子局２ｂに対して番号２０を付与してバーニヤダイヤルＤの目盛を２０に合わせする様にすれば、番号が１０増える毎（１０等分されるメモリ位置毎）にポテンショメータＲｐは１０ＫΩ抵抗値が増えるので、上記のダイヤルスイッチＳを利用する場合と同様に約１２０ｍｓｅｃ毎でタイミング設定を行うことが出来る。
【００３９】
また、バーニヤダイヤルＤの目盛で１００等分の設定をすれば、２桁の識別情報（番号）設定にも対応出来る。例えば、１ＭΩのポテンショメータを用いる場合、１００等分された１０ＫΩステップの抵抗値で１０μＦのキャパシタと組み合わせることになり約１２０ｍｓｅｃ刻みで遅延時間を設定することができる。
【００４０】
図６は、遅延制御部２１１の第３の構成例である。  
第３の例の場合、遅延制御部２１１は、番号入力部２１１１にダイヤルスイッチＳ、タイミング部２１１２がタイマＩＣ２１４と抵抗Ｒ１０〜Ｒ１９とキャパシタＣとを組合せて構成される。スイッチ部２１２をＯＮにする制御信号は、タイマＩＣ２１４が、スイッチ部２１２が必要とする、例えば、所定の５Ｖの電圧の制御信号を生成して出力する。タイマＩＣ２１４には、抵抗Ｒ１と抵抗Ｒ２によって分圧されたＤＣ電源が接続される。
【００４１】
タイミングを制御するのは、例えば、最初の例と同様にダイヤルスイッチＳ、抵抗Ｒ１０〜Ｒ１９とキャパシタＣとが構成する時定数回路をタイマＩＣ２１４のタイミング設定端子に接続することにより行い、上記２つの場合と同様のタイミングでタイマＩＣ２１４から５Ｖのスイッチ制御信号がスイッチ部２１２へ出力される。
【００４２】
遅延時間の設定方法については、これら以外の方法を適宜用いてもよい。本発明の要諦は、各子局２、即ち、電子装置、又はその電源部は、自装置の識別情報（番号等）の入力手段とその入力された識別情報に対応した遅延時間（時定数）を設定する遅延制御手段を各子局に設けることにある。
【００４３】
子局２の電源ＯＮ時の突入電流が定常動作時の消費電流に比べて大きくならない場合、複数の子局２が同じタイミングでＯＮになるように設定しても良い。
【００４４】
図７は、２台の子局２が同じタイミングでＯＮになる場合の番号入力部とタイミング部の接続図である。  
図７において、子局２は、２台が同時にＯＮになる様にダイヤルスイッチＳの切替端子例えば、「１」が共通の抵抗Ｒ２１に接続され、他の子局２についても２台毎に同じタイミングで電源がＯＮするように抵抗Ｒ２２〜Ｒ２５がダイヤルスイッチＳに接続されている。
【００４５】
以上説明した如く、子局給電装置３側では、各子局２が電源ＯＮするタイミングを管理する必要が無くなり、しかも子局２が電源電圧を自己監視してスイッチ投入タイミングを制御する方法は簡便であるので、システムでの突入電流を低く抑える電源制御方法や電子装置を容易、且つ低コストで実現できる。
【００４６】
また、本発明の電源制御方法は、ＲＯＦシステムに限られることなく、先述の通り他の複数の電子装置が組み合わせて用いられるシステムについても適用可能であり、それらの電子装置についても適用可能なことは言うまでもない。
【図面の簡単な説明】
【００４７】
【図１】本発明の実施例に係る電源制御方法を適用した携帯電話基地局のＲＯＦシステムの機能構成を示すブロック図。
【図２】子局の機能構成を示すブロック図。
【図３】子局の識別番号と遅延時間の関係を説明するテーブルの図。
【図４】各子局の起動時の給電装置の供給電流を示す概念図。
【図５】遅延制御部の第２の構成例。
【図６】遅延制御部の第３の構成例。
【図７】２台の子局が同じタイミングでＯＮになる場合の番号入力部とタイミング部の接続図。
【符号の説明】
【００４８】
１  親局
２ａ〜２ｎ  子局
２１  電源部
２１１  遅延制御部
２１１１  番号入力部
２１１２  タイミング部
２１２  スイッチ部
２１３  ＰＳ部（ＤＣ／ＤＣコンバータ）
２１４  タイマＩＣ
２２  無線送受信部
３  子局給電装置
４  給電線
Ｃ  キャパシタ
Ｄ  バーニヤダイヤル
Ｒ  抵抗
Ｒｐ  ポテンショメータ
Ｓ  ダイヤルスイッチ
【図１】
2006345608.tif 000003
【図２】
2006345608.tif 000004
【図３】
2006345608.tif 000005
【図４】
2006345608.tif 000006
【図５】
2006345608.tif 000007
【図６】
2006345608.tif 000008
【図７】
2006345608.tif 000009